【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
現在のピクチャの現在のブロックの動き情報を決定するための複数の動き情報導出モードからある動き情報導出モードを選択することと、前記動き情報が参照ビデオデータに対する前記現在のブロックの動きを示し、
ここにおいて、前記複数の動き情報導出モードのうちの各動き情報導出モードが、
参照ピクチャに対する初期動き情報を提供するための１つまたは複数の候補動きベクトルを選択することと、
前記初期動き情報を改良するために最適化プロセスを使用することと、を備え、前記最適化プロセスが前記動き情報導出モードの各々に対して同じであり、ここにおいて、前記最適化プロセスが、参照データの第２のセットに対応する前記参照ピクチャの参照データの第１のセットに対する動き探索を、前記候補動きベクトルを開始点として使用して実行すること、を備え、参照データの前記第２のセットが前記現在のブロックの外側にあり、
前記選択された動き情報導出モードを使用して、前記現在のブロックの前記動き情報を決定することと、
前記動き情報を表すシンタックス要素を復号することなく、前記決定された動き情報を使用して前記現在のブロックを復号することと、
を備え、
ここにおいて、前記複数の動き情報導出モードが、片側動き推定モード、両側マッチングモード、テンプレートマッチングモード、またはミラーベースモードのうちの２つ以上を備える、方法。
【請求項２】
前記現在のブロックの動き導出を実行するかどうかを示す１つまたは複数のシンタックス要素を復号することをさらに備える、請求項１に記載の方法。
【請求項３】
前記複数の動き情報導出モードから前記動き情報導出モードを示す１つまたは複数のシンタックス要素を復号することをさらに備え、前記動き情報導出モードを選択することが、前記１つまたは複数のシンタックス要素に従って前記動き情報導出モードを選択することを備える、請求項１に記載の方法。
【請求項４】
前記動き情報導出モードを示す１つまたは複数のシンタックス要素を復号することが、両側マッチングモードまたはテンプレートマッチングモードのうちの１つを前記動き情報導出モードとして示すフラグを復号することを備える、請求項３に記載の方法。
【請求項５】
前記動き情報導出モードを示す１つまたは複数のシンタックス要素を復号することが、前記動き情報導出モードを示すインデックスを復号することを備える、請求項３に記載の方法。
【請求項６】
前記インデックスを復号することが、前記インデックスをコンテキスト適応エントロピー復号することを備える、請求項５に記載の方法。
【請求項７】
前記現在のブロックのためのマージモードまたは高度動きベクトル予測（ＡＭＶＰ）候補リストを決定すること、前記候補リストが、１つまたは複数の動きベクトル候補と、前記動き情報導出モードに割り当てられる候補とを備える、
をさらに備え、
前記動き情報導出モードを選択することが、前記動き情報導出モードに割り当てられる前記候補を前記マージモードまたはＡＭＶＰリストから選択することを備える、請求項１に記載の方法。
【請求項８】
前記動き情報導出モードを選択することが両側マッチングモードを選択することを備え、前記選択された動き情報導出モードを使用して前記現在のブロックの前記動き情報を決定することが、
両方の参照ピクチャの時間的な位置が前記現在のブロックを含む現在のピクチャの前または後に来るように、両側マッチングを実行することと、
前記参照ピクチャに基づいて、前記現在のブロックのための２つの補間された動きベクトルを決定することと、
を備える、請求項１に記載の方法。
【請求項９】
前記選択された動き情報導出モードを使用して前記現在のブロックの前記動き情報を決定することが、
前記選択された動き情報導出モードを使用して識別される、参照データの前記第１のセットと参照データの前記第２のセットとの間のベストマッチを探すことを備え、
前記選択された動き情報導出モードを使用して前記現在のブロックの前記動き情報を決定することが、前記ベストマッチ参照データを示す動きベクトルを決定することを備える、請求項１に記載の方法。
【請求項１０】
参照データの前記第２のセットが前記現在のブロックを含むピクチャに含まれるテンプレートを備え、参照データの前記第１のセットが参照ピクチャに含まれるテンプレートを備え、前記ベストマッチを探すことがテンプレートマッチングを実行することを備える、または、
参照データの前記第１のセットが第１の参照ピクチャに含まれる参照ブロックを備え、参照データの前記第２のセットが第２の参照ピクチャに含まれる第２の参照ブロックを備え、前記ベストマッチを探すことが両側マッチングを実行することを備える、請求項９に記載の方法。
【請求項１１】
前記ベストマッチ参照データを探すことが、前記現在のブロックのための動き補償を実行するために使用される補間フィルタとは異なる補間フィルタを使用して実行される、または、
前記ベストマッチ参照データを探すことが、サブピクセルロケーションにおける参照データの前記第１のセットまたは参照データの前記第２のセットのピクセル値を決定するために、バイリニアフィルタを使用して実行される、請求項９に記載の方法。
【請求項１２】
前記現在のブロックを復号することが、
前記現在のブロックの前記動き情報導出モードを示す１つまたは複数のシンタックス要素を復号することを備え、
前記動き情報導出モードを選択することが、
前記復号された１つまたは複数のシンタックス要素に基づいて前記動き情報導出モードを選択することと、
前記決定された動き情報に基づいて参照ピクチャの中の参照ブロックを決定することと、
符号化されたビットストリームから残差データを復号することと、ここにおいて、前記符号化されたビットストリームが前記動き情報を表す前記シンタックス要素を含まない、
前記現在のブロックを再構築するために、前記復号された残差と前記決定された参照ブロックとを合成することと、
を備える、請求項１に記載の方法。
【請求項１３】
ビデオデータを符号化する方法であって、
現在のピクチャの現在のブロックの動き情報を決定するための複数の動き情報導出モードからある動き情報導出モードを選択することと、前記動き情報が参照ビデオデータに対する前記現在のブロックの動きを示し、
ここにおいて、前記複数の動き情報導出モードのうちの各動き情報導出モードが、
初期動き情報を提供するための１つまたは複数の候補動きベクトルを選択することと、
前記初期動き情報を改良するために最適化プロセスを使用することと、を備え、前記最適化プロセスが前記動き情報導出モードの各々に対して同じであり、ここにおいて、前記最適化プロセスが、参照データの第２のセットに対応する参照ピクチャの参照データの第１のセットに対する動き探索を、前記候補動きベクトルを開始点として使用して実行すること、を備え、参照データの前記第２のセットが前記現在のブロックの外側にあり、
前記選択された動き情報導出モードを使用して、前記現在のブロックの前記動き情報を決定することと、
前記動き情報を表すシンタックス要素を符号化することなく、前記決定された動き情報を使用して前記現在のブロックを符号化することと、
を備え、
ここにおいて、前記複数の動き情報導出モードが、片側動き推定モード、両側マッチングモード、テンプレートマッチングモード、またはミラーベースモードのうちの２つ以上を備える、方法。
【請求項１４】
ビデオデータをコーディングするための装置であって、
現在のピクチャの現在のブロックの動き情報を決定するための複数の動き情報導出モードからある動き情報導出モードを選択するための手段と、前記動き情報が参照ビデオデータに対する前記現在のブロックの動きを示し、
ここにおいて、前記複数の動き情報導出モードのうちの各動き情報導出モードが、
初期動き情報を提供するための１つまたは複数の候補動きベクトルを選択することと、
前記初期動き情報を改良するために最適化プロセスを使用することと、を備え、前記最適化プロセスが前記動き情報導出モードの各々に対して同じであり、ここにおいて、前記最適化プロセスが、参照データの第２のセットに対応する参照ピクチャの参照データの第１のセットに対する動き探索を、前記候補動きベクトルを開始点として使用して実行すること、を備え、参照データの前記第２のセットが前記現在のブロックの外側にあり、
前記選択された動き情報導出モードを使用して、前記現在のブロックの前記動き情報を決定するための手段と、
前記動き情報を表すシンタックス要素を復号することなく、前記決定された動き情報を使用して前記現在のブロックをコーディングするための手段と、
を備え、
ここにおいて、前記複数の動き情報導出モードが、片側動き推定モード、両側マッチングモード、テンプレートマッチングモード、またはミラーベースモードのうちの２つ以上を備える、装置。
【請求項１５】
実行されると、１つまたは複数のプロセッサに、請求項１乃至１３のいずれかに記載の方法を行わせる命令を記憶した、非一時的コンピュータ可読媒体。
【手続補正２】
【補正対象書類名】明細書
【補正対象項目名】０２３３
【補正方法】変更
【補正の内容】
【０２３３】
[0246]様々な例が説明された。これらおよび他の例は以下の特許請求の範囲内にある。
以下に、本願出願の当初の特許請求の範囲に記載された発明を付記する。
［Ｃ１］
ビデオデータを復号する方法であって、
現在のブロックの動き情報を決定するための複数の動き情報導出モードからある動き情報導出モードを選択することと、ここにおいて、前記複数の動き情報導出モードのうちの各動き情報導出モードが、前記現在のブロックの外側の参照データの第２のセットに対応する参照データの第１のセットに対する動き探索を実行することを備え、前記動き情報が、参照ビデオデータに対する前記現在のブロックの動きを示す、
前記選択された動き情報導出モードを使用して、前記現在のブロックの前記動き情報を決定することと、
前記動き情報を表すシンタックス要素を復号することなく、前記決定された動き情報を使用して前記現在のブロックを復号することと、
を備える、方法。
［Ｃ２］
前記複数の動き情報導出モードが、片側動き推定モード、両側マッチングモード、テンプレートマッチングモード、またはミラーベースモードのうちの２つ以上を備える、Ｃ１に記載の方法。
［Ｃ３］
前記現在のブロックの前記動き情報を決定することが、初期動き情報を改良するために最適化プロセスを使用することを備え、ここにおいて、前記最適化プロセスが、前記動き情報導出モードの各々に対して同じである、Ｃ１に記載の方法。
［Ｃ４］
前記現在のブロックの動き導出を実行するかどうかを示す１つまたは複数のシンタックス要素を復号することをさらに備える、Ｃ１に記載の方法。
［Ｃ５］
前記複数の動き情報導出モードから前記動き情報導出モードを示す１つまたは複数のシンタックス要素を復号することをさらに備え、前記動き情報導出モードを選択することが、前記１つまたは複数のシンタックス要素に従って前記動き情報導出モードを選択することを備える、Ｃ１に記載の方法。
［Ｃ６］
前記動き情報導出モードを示す１つまたは複数のシンタックス要素を復号することが、両側マッチングモードまたはテンプレートマッチングモードのうちの１つを前記動き情報導出モードとして示すフラグを復号することを備える、Ｃ５に記載の方法。
［Ｃ７］
前記動き情報導出モードを示す１つまたは複数のシンタックス要素を復号することが、前記動き情報導出モードを示すインデックスを復号することを備える、Ｃ５に記載の方法。
［Ｃ８］
前記インデックスを復号することが、前記インデックスをコンテキスト適応エントロピー復号することを備える、Ｃ７に記載の方法。
［Ｃ９］
前記現在のブロックのためのマージモードまたは高度動きベクトル予測（ＡＭＶＰ）候補リストを決定すること、前記候補リストが、１つまたは複数の動きベクトル候補と、前記動き情報導出モードに割り当てられる候補とを備える、
をさらに備え、
前記動き情報導出モードを選択することが、前記動き情報導出モードに割り当てられる前記候補を前記マージモードまたはＡＭＶＰリストから選択することを備える、Ｃ１に記載の方法。
［Ｃ１０］
動き情報導出がビデオデータの前記現在のブロックに対して有効にされるかどうかを示す１つまたは複数のシンタックス要素を、シーケンスパラメータセット（ＳＰＳ）、ピクチャパラメータセット（ＰＰＳ）、またはスライスヘッダ内で復号することをさらに備える、Ｃ１に記載の方法。
［Ｃ１１］
前記１つまたは複数のシンタックス要素が、動き情報導出が有効にされないことを示すとき、復号ユニット（ＣＵ）または予測ユニット（ＰＵ）レベルにおける動き情報導出の復号をスキップすることをさらに備える、Ｃ１０に記載の方法。
［Ｃ１２］
前記動き情報導出モードを選択することが両側マッチングモードを選択することを備え、前記選択された動き情報導出モードを使用して前記現在のブロックの前記動き情報を決定することが、
両方の参照ピクチャの時間的な位置が前記現在のブロックを含む現在のピクチャの前または後に来るように、両側マッチングを実行することと、
前記参照ピクチャに基づいて、前記現在のブロックのための２つの補間された動きベクトルを決定することと、
を備える、Ｃ１に記載の方法。
［Ｃ１３］
前記選択された動き情報導出モードを使用して前記現在のブロックの前記動き情報を決定することが、
前記選択された動き情報導出モードを使用して識別される、参照データの前記第１のセットと参照データの前記第２のセットとの間のベストマッチを探すことを備え、
前記選択された動き情報導出モードを使用して前記現在のブロックの前記動き情報を決定することが、前記ベストマッチ参照データを示す動きベクトルを決定することを備える、Ｃ１に記載の方法。
［Ｃ１４］
参照データの前記第１のセットが前記現在のブロックを含むピクチャに含まれるテンプレートを備え、参照データの前記第２のセットが参照ピクチャに含まれるテンプレートを備え、前記ベストマッチを探すことがテンプレートマッチングを実行することを備える、Ｃ１３に記載の方法。
［Ｃ１５］
参照データの前記第１のセットが第１の参照ピクチャに含まれる参照ブロックを備え、参照データの前記第２のセットが第２の参照ピクチャに含まれる第２の参照ブロックを備え、前記ベストマッチを探すことが両側マッチングを実行することを備える、Ｃ１３に記載の方法。
［Ｃ１６］
前記ベストマッチ参照データを探すことが、前記現在のブロックのための動き補償を実行するために使用される補間フィルタとは異なる補間フィルタを使用して実行される、Ｃ１３に記載の方法。
［Ｃ１７］
前記ベストマッチ参照データを探すことが、サブピクセルロケーションにおける参照データの前記第１のセットまたは参照データの前記第２のセットのピクセル値を決定するために、バイリニアフィルタを使用して実行される、Ｃ１６に記載の方法。
［Ｃ１８］
前記現在のブロックを復号することが、
前記現在のブロックの前記動き情報導出モードを示す１つまたは複数のシンタックス要素を復号することを備え、
前記動き情報導出モードを選択することが、
前記復号された１つまたは複数のシンタックス要素に基づいて前記動き情報導出モードを選択することと、
前記決定された動き情報に基づいて参照ピクチャの中の参照ブロックを決定することと、
符号化されたビットストリームから残差データを復号することと、ここにおいて、前記符号化されたビットストリームが前記動き情報を表す前記シンタックス要素を含まない、
前記現在のブロックを再構築するために、前記復号された残差と前記決定された参照ブロックとを合成することと、
を備える、Ｃ１に記載の方法。
［Ｃ１９］
ビデオデータを符号化する方法であって、
現在のブロックの動き情報を決定するための複数の動き情報導出モードからある動き情報導出モードを選択することと、ここにおいて、前記複数の動き情報導出モードのうちの各動き情報導出モードが、前記現在のブロックの外側の参照データの第２のセットに対応する参照データの第１のセットに対する動き探索を実行することを備え、前記動き情報が、参照ビデオデータに対する前記現在のブロックの動きを示す、
前記選択された動き情報導出モードを使用して、前記現在のブロックの前記動き情報を決定することと、
前記動き情報を表すシンタックス要素を符号化することなく、前記決定された動き情報を使用して前記現在のブロックを符号化することと、
を備える、方法。
［Ｃ２０］
前記複数の動き情報導出モードが、片側動き推定モード、両側マッチングモード、テンプレートマッチングモード、またはミラーベースモードのうちの２つ以上を備える、Ｃ１９に記載の方法。
［Ｃ２１］
前記現在のブロックの前記動き情報を決定することが、初期動き情報を改良するために最適化プロセスを使用することを備え、ここにおいて、前記最適化プロセスが、前記動き情報導出モードの各々に対して同じである、Ｃ１９に記載の方法。
［Ｃ２２］
前記現在のブロックの動き導出を実行するかどうかを示す１つまたは複数のシンタックス要素を符号化することをさらに備える、Ｃ１９に記載の方法。
［Ｃ２３］
前記複数の動き情報導出モードから前記動き情報導出モードを示す１つまたは複数のシンタックス要素を符号化することをさらに備え、前記動き情報導出モードを選択することが、前記１つまたは複数のシンタックス要素に従って前記動き情報導出モードを選択することを備える、Ｃ１９に記載の方法。
［Ｃ２４］
前記動き情報導出モードを示す１つまたは複数のシンタックス要素を符号化することが、両側マッチングモードまたはテンプレートマッチングモードのうちの１つを前記動き情報導出モードとして示すフラグを符号化することを備える、Ｃ２３に記載の方法。
［Ｃ２５］
前記動き情報導出モードを示す１つまたは複数のシンタックス要素を符号化することが、前記動き情報導出モードを示すインデックスを符号化することを備える、Ｃ２３に記載の方法。
［Ｃ２６］
前記インデックスを符号化することが、前記インデックスをコンテキスト適応エントロピー符号化することを備える、Ｃ２５に記載の方法。
［Ｃ２７］
前記現在のブロックのためのマージモードまたは高度動きベクトル予測（ＡＭＶＰ）候補リストを決定すること、前記候補リストが、１つまたは複数の動きベクトル候補と、前記動き情報導出モードに割り当てられる候補とを備える、
をさらに備え、
前記動き情報導出モードを選択することが、前記動き情報導出モードに割り当てられる前記候補を前記マージモードまたはＡＭＶＰリストから選択することを備える、Ｃ１９に記載の方法。
［Ｃ２８］
動き情報導出がビデオデータの前記現在のブロックに対して有効にされるかどうかを示す１つまたは複数のシンタックス要素を、シーケンスパラメータセット（ＳＰＳ）、ピクチャパラメータセット（ＰＰＳ）、またはスライスヘッダ内で符号化することをさらに備える、Ｃ１９に記載の方法。
［Ｃ２９］
前記１つまたは複数のシンタックス要素が、動き情報導出が有効にされないことを示すとき、符号化ユニット（ＣＵ）または予測ユニット（ＰＵ）レベルにおける動き情報導出の符号化をスキップすることをさらに備える、Ｃ２８に記載の方法。
［Ｃ３０］
前記動き情報導出モードを選択することが両側マッチングモードを選択することを備え、前記選択された動き情報導出モードを使用して前記現在のブロックの前記動き情報を決定することが、
両方の参照ピクチャの時間的な位置が前記現在のブロックを含む現在のピクチャの前または後に来るように、両側マッチングを実行することと、
前記参照ピクチャに基づいて、前記現在のブロックのための２つの補間された動きベクトルを決定することと、
を備える、Ｃ１９に記載の方法。
［Ｃ３１］
前記選択された動き情報導出モードを使用して前記現在のブロックの前記動き情報を決定することが、
前記選択された動き情報導出モードを使用して識別される、参照データの前記第１のセットと参照データの前記第２のセットとの間のベストマッチを探すことを備え、
前記選択された動き情報導出モードを使用して前記現在のブロックの前記動き情報を決定することが、前記ベストマッチ参照データを示す動きベクトルを決定することを備える、Ｃ１９に記載の方法。
［Ｃ３２］
参照データの前記第１のセットが前記現在のブロックを含むピクチャに含まれるテンプレートを備え、参照データの前記第２のセットが参照ピクチャに含まれるテンプレートを備え、前記ベストマッチを探すことがテンプレートマッチングを実行することを備える、Ｃ３１に記載の方法。
［Ｃ３３］
参照データの前記第１のセットが第１の参照ピクチャに含まれる参照ブロックを備え、参照データの前記第２のセットが第２の参照ピクチャに含まれる第２の参照ブロックを備え、前記ベストマッチを探すことが両側マッチングを実行することを備える、Ｃ３１に記載の方法。
［Ｃ３４］
前記ベストマッチ参照データを探すことが、前記現在のブロックのための動き補償を実行するために使用される補間フィルタとは異なる補間フィルタを使用して実行される、Ｃ３１に記載の方法。
［Ｃ３５］
前記ベストマッチ参照データを探すことが、サブピクセルロケーションにおける参照データの前記第１のセットまたは参照データの前記第２のセットのピクセル値を決定するために、バイリニアフィルタを使用して実行される、Ｃ３４に記載の方法。
［Ｃ３６］
前記現在のブロックを符号化することが、
符号化されたビットストリームの中の前記現在のブロックの残差データを符号化すること、ここにおいて、前記符号化されたビットストリームが、前記動き情報を表す前記コーディングシンタックス要素を含まない、
を備える、Ｃ１９に記載の方法。
［Ｃ３７］
ビデオデータをコーディングするためのデバイスであって、
ビデオデータの現在のブロックを記憶するように構成されるメモリと、
１つまたは複数のプロセッサと、
を備え、前記１つまたは複数のプロセッサが、
前記現在のブロックの動き情報を決定するための複数の動き情報導出モードからある動き情報導出モードを選択することと、ここにおいて、前記複数の動き情報導出モードのうちの各動き情報導出モードが、前記現在のブロックの外側の参照データの第２のセットに対応する参照データの第１のセットに対する動き探索を実行することを備え、前記動き情報が、参照ビデオデータに対する前記現在のブロックの動きを示す、
前記選択された動き情報導出モードを使用して、前記現在のブロックの前記動き情報を決定することと、
前記動き情報を表すシンタックス要素をコーディングすることなく、前記決定された動き情報を使用して前記現在のブロックをコーディングすることと、
を行うように構成される、デバイス。
［Ｃ３８］
前記複数の動き情報導出モードが、片側動き推定モード、両側マッチングモード、テンプレートマッチングモード、またはミラーベースモードのうちの２つ以上を備える、Ｃ３７に記載のデバイス。
［Ｃ３９］
前記現在のブロックの前記動き情報を決定するために、前記１つまたは複数のプロセッサが、初期動き情報を改良するために最適化プロセスを使用するように構成され、ここにおいて、前記最適化プロセスが、前記動き情報導出モードの各々に対して同じである、Ｃ３７に記載のデバイス。
［Ｃ４０］
前記１つまたは複数のプロセッサがさらに、前記現在のブロックの動き導出を実行するかどうかを示す１つまたは複数のシンタックス要素をコーディングするように構成される、Ｃ３７に記載のデバイス。
［Ｃ４１］
前記１つまたは複数のプロセッサがさらに、前記複数の動き情報導出モードから前記動き情報導出モードを示す１つまたは複数のシンタックス要素をコーディングするように構成され、前記動き情報導出モードを選択するために、前記１つまたは複数のプロセッサが、前記１つまたは複数のシンタックス要素に従って前記動き情報導出モードを選択するように構成される、Ｃ３７に記載のデバイス。
［Ｃ４２］
前記動き情報導出モードを示す１つまたは複数のシンタックス要素をコーディングするために、前記１つまたは複数のプロセッサが、両側マッチングモードまたはテンプレートマッチングモードのうちの１つを前記動き情報導出モードとして示すフラグをコーディングするように構成される、Ｃ４１に記載のデバイス。
［Ｃ４３］
前記動き情報導出モードを示す１つまたは複数のシンタックス要素をコーディングするために、前記１つまたは複数のプロセッサが、前記動き情報導出モードを示すインデックスをコーディングするように構成される、Ｃ４１に記載のデバイス。
［Ｃ４４］
前記インデックスをコーディングするために、前記１つまたは複数のプロセッサが、前記インデックスをコンテキスト適応エントロピーコーディングするように構成される、Ｃ４３に記載のデバイス。
［Ｃ４５］
前記１つまたは複数のプロセッサがさらに、
前記現在のブロックのためのマージモードまたは高度動きベクトル予測（ＡＭＶＰ）候補リストを決定すること、前記候補リストが、１つまたは複数の動きベクトル候補と、前記動き情報導出モードに割り当てられる候補とを備える、
を行うように構成され、
前記動き情報導出モードを選択するために、前記１つまたは複数のプロセッサが、前記動き情報導出モードに割り当てられる前記候補を前記マージモードまたはＡＭＶＰリストから選択するように構成される、Ｃ４１に記載のデバイス。
［Ｃ４６］
前記１つまたは複数のプロセッサがさらに、動き情報導出がビデオデータの前記現在のブロックに対して有効にされるかどうかを示す１つまたは複数のシンタックス要素を、シーケンスパラメータセット（ＳＰＳ）、ピクチャパラメータセット（ＰＰＳ）、またはスライスヘッダ内でコーディングするように構成される、Ｃ３７に記載のデバイス。
［Ｃ４７］
前記１つまたは複数のシンタックス要素が、動き情報導出が有効にされないことを示すとき、前記１つまたは複数のプロセッサがさらに、コーディングユニット（ＣＵ）または予測ユニット（ＰＵ）レベルにおける動き情報導出のコーディングをスキップするように構成される、Ｃ４６に記載のデバイス。
［Ｃ４８］
前記動き情報導出モードを選択するために、前記１つまたは複数のプロセッサが両側マッチングモードを選択するように構成され、前記選択された動き情報導出モードを使用して前記現在のブロックの前記動き情報を決定するために、前記１つまたは複数のプロセッサが、
両方の参照ピクチャの時間的な位置が前記現在のブロックを含む現在のピクチャの前または後に来るように、両側マッチングを実行することと、
前記参照ピクチャに基づいて、前記現在のブロックのための２つの補間された動きベクトルを決定することと、
を行うように構成される、Ｃ３７に記載のデバイス。
［Ｃ４９］
前記選択された動き情報導出モードを使用して前記現在のブロックの前記動き情報を決定するために、前記１つまたは複数のプロセッサが、
前記選択された動き情報導出モードを使用して識別される、参照データの前記第１のセットと参照データの前記第２のセットとの間のベストマッチを探すように構成され、
前記選択された動き情報導出モードを使用して前記現在のブロックの前記動き情報を決定するために、前記１つまたは複数のプロセッサが、前記ベストマッチ参照データを示す動きベクトルを決定するように構成される、Ｃ３７に記載のデバイス。
［Ｃ５０］
参照データの前記第１のセットが前記現在のブロックを含むピクチャに含まれるテンプレートを備え、参照データの前記第２のセットが参照ピクチャに含まれるテンプレートを備え、前記ベストマッチを探すために、前記１つまたは複数のプロセッサがテンプレートマッチングを実行するように構成される、Ｃ４９に記載のデバイス。
［Ｃ５１］
参照データの前記第１のセットが第１の参照ピクチャに含まれる参照ブロックを備え、参照データの前記第２のセットが第２の参照ピクチャに含まれる第２の参照ブロックを備え、前記ベストマッチを探すために、前記１つまたは複数のプロセッサが両側マッチングを実行するように構成される、Ｃ１９に記載のデバイス。
［Ｃ５２］
前記ベストマッチ参照データを探すために、前記１つまたは複数のプロセッサが、前記現在のブロックのための動き補償を実行するために使用される補間フィルタとは異なる補間フィルタを使用するように構成される、Ｃ１９に記載のデバイス。
［Ｃ５３］
前記ベストマッチ参照データを探すために、前記１つまたは複数のプロセッサが、サブピクセルロケーションにおける参照データの前記第１のセットまたは参照データの前記第２のセットのピクセル値を決定するために、バイリニアフィルタを使用するように構成される、Ｃ５２に記載のデバイス。
［Ｃ５４］
コーディングすることが復号することを備え、前記現在のブロックを復号するために、前記１つまたは複数のプロセッサが、
前記現在のブロックの前記動き情報導出モードを示す１つまたは複数のシンタックス要素を復号するように構成され、
前記動き情報導出モードを選択するために、前記１つまたは複数のプロセッサが、
前記復号された１つまたは複数のシンタックス要素に基づいて前記動き情報導出モードを選択することと、
前記決定された動き情報に基づいて参照ピクチャの中の参照ブロックを決定することと、
符号化されたビットストリームから残差データを復号することと、ここにおいて、前記符号化されたビットストリームが前記動き情報を表す前記シンタックス要素を含まない、
前記現在のブロックを再構築するために、前記復号された残差と前記決定された参照ブロックとを合成することと、
を行うように構成される、Ｃ３７に記載のデバイス。
［Ｃ５５］
前記復号されたブロックを表示するように構成されるディスプレイをさらに備える、Ｃ５４に記載のデバイス。
［Ｃ５６］
コーディングすることが符号化することを備え、前記現在のブロックを符号化するために、前記１つまたは複数のプロセッサが、符号化されたビットストリームの中の前記現在のブロックの残差データを符号化するように構成され、ここにおいて、前記符号化されたビットストリームが、前記動き情報を表す前記コーディングシンタックス要素を含まない、Ｃ３７に記載のデバイス。
［Ｃ５７］
ビデオデータの前記ブロックを含むピクチャをキャプチャするように構成されるカメラをさらに備える、Ｃ５６に記載のデバイス。
［Ｃ５８］
集積回路、
マイクロプロセッサ、または
ワイヤレス通信デバイスのうちの少なくとも１つを備える、Ｃ３７に記載のデバイス。
［Ｃ５９］
ビデオデータをコーディングするための装置であって、
現在のブロックの動き情報を決定するための複数の動き情報導出モードからある動き情報導出モードを選択するための手段と、ここにおいて、前記複数の動き情報導出モードのうちの各動き情報導出モードが、前記現在のブロックの外側の参照データの第２のセットに対応する参照データの第１のセットに対する動き探索を実行することを備え、前記動き情報が、参照ビデオデータに対する前記現在のブロックの動きを示す、
前記選択された動き情報導出モードを使用して、前記現在のブロックの前記動き情報を決定するための手段と、
前記動き情報を表すシンタックス要素を復号することなく、前記決定された動き情報を使用して前記現在のブロックをコーディングするための手段と、
を備える、装置。
［Ｃ６０］
実行されると、１つまたは複数のプロセッサに、
現在のブロックの動き情報を決定するための複数の動き情報導出モードからある動き情報導出モードを選択することと、ここにおいて、前記複数の動き情報導出モードのうちの各動き情報導出モードが、前記現在のブロックの外側の参照データの第２のセットに対応する参照データの第１のセットに対する動き探索を実行することを備え、前記動き情報が、参照ビデオデータに対する前記現在のブロックの動きを示す、
前記選択された動き情報導出モードを使用して、前記現在のブロックの前記動き情報を決定することと、
前記動き情報を表すシンタックス要素を復号することなく、前記決定された動き情報を使用して前記現在のブロックをコーディングすることと、
を行わせる命令を記憶した、非一時的コンピュータ可読媒体。